(57)【要約】【課題】  簡易的に吊戸棚本体の下方に物を載置したいときに、棚内部の収納物を露出させずに簡易的な棚を吊戸棚本体の下方に設けることができる吊戸棚を提供する。【解決手段】  吊戸棚本体１の外部の下面１ａに、鉛直方向に摺動自在の棚部２を備え、該棚部２は、前端が吊戸棚本体１の前端と略面一であるとともに、同棚部２の横幅は吊戸棚本体１の横幅と略同一である。また、前記吊戸棚本体１の下面には照明器具４が備えつけられており、前記棚部２においては、前記照明器具４に対抗する箇所に透光部３が設けられている。また、前記棚部２には、上面に収納の役割をする凹部６が設けられている。【選択図】図１
2005144064.tif 000002
【特許請求の範囲】
【請求項１】
吊戸棚本体の外部の下面に、鉛直方向に摺動自在の棚部を備え、該棚部は、前端が吊戸棚本体の前端と略面一であるとともに、同棚部の横幅は吊戸棚本体の横幅と略同一であることを特徴とする吊戸棚。
【請求項２】
前記吊戸棚本体の下面には照明器具が備えつけられており、前記棚部においては、前記照明器具に対抗する箇所に透光部が設けられていることを特徴とする請求項１記載の吊戸棚。
【請求項３】
前記棚部には、上面に収納の役割をする凹部が設けられていることを特徴とする請求項１または２に記載の吊戸棚
【発明の詳細な説明】
【技術分野】
【０００１】
本発明は、吊戸棚に関し、詳しくは、吊戸棚本体に下方に引出摺動可能な棚を有する吊戸棚に関する。
【背景技術】
【０００２】
従来、吊戸棚に関しては、下方に引き出し自在な棚があるものとしては、吊戸棚の下面が、吊戸棚本体内に納まっており、所望に応じて、吊戸棚本体から下方へ出されるものが、特許文献１に記載されている。ところでそのものにあっては、吊戸棚本体内に、棚が納まっているものなので、簡易的に吊戸棚の下方に物を置きたいとき、わざわざ吊戸棚本体内の棚を上げ下ろしする必要性が有る。
【０００３】
吊戸棚本体の下方に簡易的に物を載置したいときに、棚内部の収納物を露出させずに簡易な棚を吊戸棚本体の下方に設けたい。
【特許文献１】実開平２−９６９２８号公報
【発明の開示】
【発明が解決しようとする課題】
【０００４】
本願発明は、上記従来の背景技術に鑑みて発明されたものであり、その課題は、簡易的に吊戸棚本体の下方に物を載置したいときに、棚内部の収納物を露出させずに簡易的な棚を吊戸棚本体の下方に設けることができる吊戸棚を提供することである。
【課題を解決するための手段】
【０００５】
上記課題を解決するために、本願発明は、吊戸棚において、吊戸棚本体１の外部の下面１ａに、鉛直方向に摺動自在の棚部２を備え、該棚部２は、前端２ａが吊戸棚本体１の前端１ｂと略面一であるとともに、同棚部２の横幅ｗは吊戸棚本体１の横幅ｓと略同一であることを特徴とする。
【０００６】
また本願発明は、前記吊戸棚において、前記吊戸棚本体１の下面１ａには照明器具４が備えつけられており、前記棚部３においては、前記照明器具４に対抗する箇所に透光部３が設けられていることを特徴とする。
【０００７】
また本願発明は、前記吊戸棚において、前記棚部には、上面に収納の役割をする凹部６が設けられていることを特徴とする。
【発明の効果】
【０００８】
本願発明の吊戸棚にあっては、吊戸棚本体１の外部下面１ａに存する棚部２のみが鉛直方向に摺動するので、吊戸棚本体１内の収納物を露出させずに、上下方向に摺動させることができる。また、棚部２は前端２ａが吊戸棚本体１の前端１ｂと略面一であるとともに、同棚部２の横幅ｗは吊戸棚本体１の横幅ｓと略同一であるので、棚部２を使用しないとき、即ち棚部２を吊り戸棚本体１に向かって昇らせたときには、吊戸棚本体１と棚部２とにより、外観上一つの吊戸棚と見ることができるので、見栄えが良い。
【０００９】
また本願発明の吊戸棚にあっては、この吊戸棚本体１の下面に照明器具４が設けられており、前記棚部２においては、前記照明器具４に対抗する箇所に透光部３が設けられているので、棚部２を使用しないとき、即ち棚部２が吊り戸棚本体１下部に据付けられたときには、吊戸棚本体１と棚部２とにより、照明器具４の照明が、棚部２により遮られることなく、透光部３により、吊戸棚本体１の下方を照らす。なお、この透光部３は貫通した孔形状でもよいし、ガラス等の透光性の材料であっても良い。
【００１０】
また本願発明の吊戸棚にあっては、前記棚部２には、上面に収納の役割をする凹部６が設けられているので、棚部２を下げたときには凹部６に収納物を納めるようにして良い。また収納物を納めた後、棚部２を上げ、吊戸棚本体１に棚部２を当接させて凹部６を隠すことができる。
【発明を実施するための最良の形態】
【００１１】
図１は、本願の一実施形態である吊戸棚を示しており、（ａ）は請求項１記載の実施形態を、（ｂ）は請求項２記載の実施形態を、（ｃ）は請求項３記載の実施形態を、それぞれ示すものである。
【００１２】
また図２は、本願の請求項１、２及び３を全て備えた吊戸棚の実施形態を示すものである。
【００１３】
吊戸棚本体１は、前面１ｂに扉７が設けられており、扉７により吊戸棚本体１の内部の収納部と開閉自在となっている。
【００１４】
吊戸棚本体１の下面１ａには、照明器具４が設けられている。そしてこの吊戸棚本体１の下面１ａの下方には、棚部２が設けられている。棚部２の横幅ｗは吊戸棚本体１の横幅ｓと略同じである。また棚部２の前面２ａと吊戸棚本体１の前面１ｂと略面一である。
【００１５】
この棚部２には、前面２ａに、幅方向に縞状の模様が設けられている。また棚部２の下面８には手掛け部用凹部９が設けられている。この手掛け部用凹部９に手を掛けることにより、棚部２を昇降させることができる。
【００１６】
また吊戸棚本体１の下面１ａにおいて、照明器具同士の間には、吊戸棚本体１内に通ずる孔１２が設けられている。そして、この孔１２より吊戸棚本体１内部にかけて、一対のガイド部１３ａ、１３ｂが設けられている。そしてこの孔１２を通して、棚２を支持している支持部１５が吊戸棚本体１内部に通されている。この支持部１５には、弾性突起部１１、及び突出部１０が設けられている。
【００１７】
ガイド部１３ａには、高さ方向の略中程に穴１４ａが、下部に１４ｂが設けられている。この穴１４ａ、１４ｂに、支持部１５の弾性突起部１１が嵌り込むことにより、棚部２が保持される状態となる。
【００１８】
一方ガイド部１３ｂには、高さ方向に長穴１６が設けられている。この長穴１６内を支持部１５の突出部１０が摺動することによって、棚部２が、がたつかず、略安定して摺動する。またこの突出部１０は、棚部２が下ろされたときには、吊戸棚本体１の底板上面１ｃに当接する。この突出部１０の底板上面１ｃへの当接により、棚部２を下ろしたときに略安定して支持される。従って、棚部２の上に物を載置したときに、略安定して支持される。
【００１９】
棚部２においては、図１（ｂ）に示すように、照明器具４に対向する箇所に、照明器具４の明かりが棚部２を通るような透光部３が設けられているものであってもよい。この透光部３は、穴であってもよいし、略透明の物（たとえば透明のガラスや透明のプラスチック）が納まっている状態のものであっても良い。この構成により、棚部２を吊戸棚本体１に上げたとき、照明器具４の明かりが吊戸棚本体１より下方へ通される。
【００２０】
またこの棚部２においては、図１（ｃ）に示すように、上面に小物等を収納する為の凹部６が設けられていてもよい。そしてこの凹部６を蓋する為の蓋５が設けられている。従ってこの凹部６内に、例えば調理道具や包丁などの小物を収納することができる。この蓋５は無くても良く、凹部６に小物を収納したまま、棚部２を吊戸棚本体１に当接させて、凹部６を吊戸棚本体１下面１ａにより隠しても良い。
【００２１】
この棚部２には前述のように前面２ａに幅方向に縞状の模様が設けられている。即ち棚部２を吊戸棚本体１下面１ａに当接させたとき、吊戸棚全体として下部に縞状の模様が備えられる状態となる。この吊戸棚を複数個、横方向に並設すると、吊戸棚の下部に縞状の模様が略直線状に設けられる状態となる（図示せず）ので、見栄えがすっきりとした状態となる。
【図面の簡単な説明】
【００２２】
【図１】本願発明の一実施形態である吊戸棚を使用状態を示す概略斜視図であって、（ａ）は通常の棚部の状態、（ｂ）は吊戸棚本体に照明器具を備えた時の棚部の状態、（ｃ）は小物を収納するための棚部の状態を示すものである。
【図２】本願発明の一実施形態である吊戸棚の機構部を示した説明図である。
【符号の説明】
【００２３】
１    吊戸棚本体
１ａ  下面
１ｂ  前端
２    棚部
２ａ  前端
ｗ    横幅（棚部）
ｓ    横幅（吊戸棚本体）
３    透光部
４    照明器具
６    凹部
【図１】
2005144064.tif 000003
【図２】
2005144064.tif 000004